(57)【要約】【課題】装着するときの違和感を減少させた携帯型電子機器バンドを提供する。【解決手段】一方のバンド本体３１と、一方のバンド本体の一方端側にある取付部３４を挟み、一端側が取付部に回転可能に取り付けられ、且つ、一端側とは反対側の他端部を含む枠状の美錠５０と、取付部および他端部のそれぞれと間隙が設けられるように、美錠の内側を横断するように配置された軸状の連結部３８と、一端が連結部に回転可能に取り付けられているつく棒３７と、剣先３５を有し、つく棒３７が挿入される孔３９が設けられている他方のバンド本体３２と、を含む、携帯型電子機器バンド。【選択図】図１
2018068547.tif 000002
【特許請求の範囲】
【請求項１】
一方のバンド本体と、
前記一方のバンド本体の一方端側にある取付部を挟み、一端側が前記取付部に回転可能に取り付けられ、且つ、前記一端側とは反対側の他端部を含む枠状の美錠と、
前記取付部および前記他端部のそれぞれと間隙が設けられるように、前記美錠の内側を横断するように配置されている軸状の連結部と、
一端が前記連結部に回転可能に取り付けられ、前記一方のバンド本体と前記美錠の並ぶ方向に沿って配置されているつく棒と、
剣先を有し、前記つく棒が挿入される孔が設けられている他方のバンド本体と、
を含む、
携帯型電子機器バンド。
【請求項２】
請求項１において、
前記取付部と前記連結部との間に、前記他方のバンド本体をガイドする挿入ガイド部が取り付けられている、
携帯型電子機器バンド。
【請求項３】
請求項２において、
前記挿入ガイド部は、
前記連結部と前記美錠の前記他端部とが並ぶ方向に対して、
前記連結部側から前記他端部側に向うにつれて傾斜している、
携帯型電子機器バンド。
【請求項４】
請求項１ないし請求項３のいずれか一項において、
前記美錠は、
一端側が前記取付部に回転可能に取り付けられている第１側部と、
前記第１側部の他端側に、前記連結部を介して回転可能に取り付けられている第２側部と、
を含む、
携帯型電子機器バンド。
【請求項５】
請求項４において、
前記第１側部は、前記一方のバンド本体の被装着部側となる裏面側が凹状となるように湾曲している、
携帯型電子機器バンド。
【請求項６】
請求項１ないし請求項５のいずれか一項において、
前記孔は、複数設けられ、前記並ぶ方向に沿って前記他方のバンド本体に配列されている、
携帯型電子機器バンド。
【請求項７】
請求項１ないし請求項６のいずれか一項に記載の携帯型電子機器バンドと、
電子機器本体と、
を含み、
前記一方のバンド本体は、前記電子機器本体の一端側に取り付けられ、
前記他方のバンド本体は、平面視で、前記電子機器本体の前記一端側とは反対側の他端側に取り付けられている、
携帯型電子機器。
【請求項８】
電子機器本体と、
前記電子機器本体の一端側に取り付けられている一方のバンド本体と、
前記一方のバンド本体の一方端側にある取付部を挟み、一端側が前記取付部に回転可能に取り付けられ、且つ、前記一端側とは反対側の他端部を含む枠状の美錠と、
前記取付部および前記他端部のそれぞれと間隙が設けられるように、前記美錠の内側を横断するように配置されている軸状の連結部と、
一端が前記連結部に回転可能に取り付けられ、前記一方のバンド本体と前記美錠の並ぶ方向に沿って配置されているつく棒と、平面視で、前記電子機器本体の前記一端側とは反対側の他端側に取り付けられ、前記取付部側の前記間隙に挿入される剣先を有し、且つ、前記つく棒が挿入される孔が設けられている他方のバンド本体と、
を含む携帯型電子機器の取り付け方法であって、
前記他方のバンド本体の前記剣先を被装着部側から前記美錠の前記他端部と前記連結部との間に挿入し、
前記他方のバンド本体の前記孔に前記つく棒を挿入し、
前記剣先を前記取付部と前記連結部との間から前記被装着部側に向けて挿入し、
前記剣先を前記一方のバンド本体と前記被装着部との間に配置する、
携帯型電子機器の取り付け方法。
【請求項９】
請求項８において、
前記剣先は、前記被装着部と前記一方のバンド本体との間で、前記一方のバンド本体と重なっている、
携帯型電子機器の取り付け方法。
【発明の詳細な説明】
【技術分野】
【０００１】
本発明は、携帯型電子機器バンド、携帯型電子機器、および携帯型電子機器の取り付け方法に関する。
【背景技術】
【０００２】
近年、センシング技術の向上により、携帯型電子機器の一例として、腕時計型の活動量計が各社から多く商品化されてきている。そして、腕時計型の活動量計は、バンド等によって手首等の被装着部（被検体）に装着されて使用される。
【０００３】
このような腕時計型の活動計としては、先端に美錠（尾錠ということがある）の付いた一方のバンドと、美錠に剣先が挿入され、一方のバンドの先端に付いているつく棒が挿入される所定の孔が設けられている他方のバンドと、からなる一対のバンドを有する腕時計が開示されている（例えば、特許文献１参照）。
【０００４】
また、一端側にスリットが設けられている美錠の中央部を横断するように配置された軸状のピンに先端が取り付けられた一方のバンドと、該美錠に囲まれ、且つ軸状のピンで仕切られた２つのエリアのうちスリット側とは反対の他端側の第１のエリアの空間に剣先が挿入され、軸状のピンについているつく棒が挿入される所定の孔が設けられ、剣先が更に２つのエリアのうちスリット側の第２のエリアの空間に挿入される他方のバンドと、からなる一対のバンドを有する腕時計が開示されている（例えば、特許文献２参照）。
【先行技術文献】
【特許文献】
【０００５】
【特許文献１】特開２０１２−１４８１４０号公報
【特許文献２】特開２００７−２５２７３９号公報
【発明の概要】
【発明が解決しようとする課題】
【０００６】
しかしながら、上述の特許文献１および特許文献２に記載されているバンドの連結構造では、当該活動量計をバンドによって手首等の被装着部（被検体）に装着するとき、つく棒が挿入された孔より剣先側のバンドを遊革（遊環、抑え環、とも言う）に挿入するために遊革を移動させると、遊革と皮膚との擦れや遊革の内側に皮膚を巻き込む（皮膚の食い込み）などが起こる虞があるため、ユーザーに違和感を生じさせてしまう場合があった。
【課題を解決するための手段】
【０００７】
本発明は、上述の課題の少なくとも一部を解決するためになされたものであり、以下の形態または適用例として実現することが可能である。
【０００８】
［適用例１］本適用例に係る携帯型電子機器バンドは、一方のバンド本体と、前記一方のバンド本体の一方端側にある取付部を挟み、一端側が前記取付部に回転可能に取り付けられ、且つ、前記一端側とは反対側の他端部を含む枠状の美錠と、前記取付部および前記他端部のそれぞれと間隙が設けられるように、前記美錠の内側を横断するように配置されている軸状の連結部と、一端が前記連結部に回転可能に取り付けられ、前記一方のバンド本体と前記美錠の並ぶ方向に沿って配置されているつく棒と、剣先を有し、前記つく棒が挿入される孔が設けられている他方のバンド本体と、を含む。
【０００９】
本適用例の携帯型電子機器バンドによれば、つく棒としての突棒と美錠とによって取り付けられる他方のバンド本体の剣先を、取付部と連結部との間隙に挿入し、他方のバンド本体の剣先を含む先端部分を、一方のバンド本体と被装着部との間に収容することができるため、遊革などの移動部位が不要となる。これにより、移動部位と被装着部である皮膚などとの擦れや巻き込みなどによって生じるユーザーの違和感を低減させることができる。
【００１０】
［適用例２］上記適用例に記載の携帯型電子機器バンドにおいて、前記取付部と前記連結部との間に、前記他方のバンド本体をガイドする挿入ガイド部が取り付けられていることが好ましい。
【００１１】
本適用例によれば、取付部と連結部との間に設けられた挿入ガイド部をガイドにして、他方のバンド本体をスライドさせながら剣先を一方のバンド本体と被装着部との間に挿入することにより、先端部分を容易に収容することができる。
【００１２】
［適用例３］上記適用例に記載の携帯型電子機器バンドにおいて、前記挿入ガイド部は、前記連結部と前記美錠の前記他端部とが並ぶ方向に対して、前記連結部側から前記他端部側に向うにつれて傾斜していることが好ましい。
【００１３】
本適用例によれば、挿入ガイド部の傾斜により、他方のバンド本体の剣先を挿入方向である一方のバンド本体と被装着部との間に向け易くすることができ、剣先の挿入を容易に行うことができる。
【００１４】
［適用例４］上記適用例に記載の携帯型電子機器バンドにおいて、前記美錠は、一端側が前記取付部に回転可能に取り付けられている第１側部と、前記第１側部の他端側に、前記連結部を介して回転可能に取り付けられている第２側部と、を含むことが好ましい。
【００１５】
本適用例によれば、第１側部と第２側部とがそれぞれ回転可能であり、自在に回転移動することができるため、他方のバンド本体の剣先を一方のバンド本体と被装着部との間に挿入する際に、一方のバンド本体と被装着部との間の隙間を大きくすることができ、挿入を行い易くすることができる。
【００１６】
［適用例５］上記適用例に記載の携帯型電子機器バンドにおいて、前記第１側部は、前記一方のバンド本体の被装着部側となる裏面側が凹状となるように湾曲していることが好ましい。
【００１７】
本適用例によれば、第１側部の被装着部側となる裏面側に凹状となるように、湾曲が設けられていることにより、装着時のユーザーの違和感を軽減することができる。
【００１８】
［適用例６］上記適用例に記載の携帯型電子機器バンドにおいて、前記孔は、複数設けられた前記並ぶ方向に沿って前記他方のバンド本体に配列されていることが好ましい。
【００１９】
本適用例によれば、一方のバンド本体と他方のバンド本体との適切な係止位置を容易に決めることができ、携帯型電子機器の被装着部への装着を適度な締め付け具合によって行うことができる。
【００２０】
［適用例７］本適用例に係る携帯型電子機器は、上記適用例のいずれか一例に記載の携帯型電子機器バンドと、電子機器本体と、を含み、前記一方のバンド本体は、前記電子機器本体の一端側に取り付けられ、前記他方のバンド本体は、平面視で、前記電子機器本体の前記一端側とは反対側の他端側に取り付けられている。
【００２１】
本適用例によれば、つく棒と美錠とによって取り付けられる他方のバンド本体の先端部分を取付部と連結部との間隙に挿入し、一方のバンド本体と被装着部との間に収容することができるため、従来用いられていた遊革などの移動して他方のバンド本体の先端部分を保持する部位が不要となる。これにより、携帯型電子機器を装着する際に、移動部位と被装着部である皮膚などとの擦れや巻き込みなどによって生じるユーザーの違和感を低減することができる。
【００２２】
［適用例８］本適用例に係る携帯型電子機器の取り付け方法は、電子機器本体と、前記電子機器本体の一端側に取り付けられている一方のバンド本体と、前記一方のバンド本体の一方端側にある取付部を挟み、一端側が前記取付部に回転可能に取り付けられ、且つ、前記一端側とは反対側の他端部を含む枠状の美錠と、前記取付部および前記他端部のそれぞれと間隙が設けられるように、前記美錠の内側を横断するように配置されている軸状の連結部と、一端が前記連結部に回転可能に取り付けられ、前記一方のバンド本体と前記美錠の並ぶ方向に沿って配置されているつく棒と、平面視で、前記電子機器本体の前記一端側とは反対側の他端側に取り付けられ、前記取付部側の前記間隙に挿入される剣先を有し、且つ、前記つく棒が挿入される孔が設けられている他方のバンド本体と、を含む携帯型電子機器の取り付け方法であって、前記他方のバンド本体の前記剣先を被装着部側から前記美錠の前記他端部と前記連結部との間に挿入し、前記他方のバンド本体の前記孔に前記つく棒を挿入し、前記剣先を前記取付部と前記連結部との間から前記被装着部側に向けて挿入し、前記剣先を前記一方のバンド本体と前記被装着部との間に配置する。
【００２３】
本適用例によれば、つく棒と美錠とによって取り付けられる他方のバンド本体の剣先を取付部と連結部との間隙に挿入し、他方のバンド本体の先端部分を一方のバンド本体と被装着部との間に収容することができるため、遊革などの移動部位が不要となる。これにより、移動部位と被装着部である皮膚などとの擦れや巻き込みなどによって生じるユーザーの違和感を低減することができる。
【００２４】
［適用例９］上記適用例に記載の携帯型電子機器の取り付け方法において、前記剣先は、前記被装着部と前記一方のバンド本体との間で、前記一方のバンド本体と重なっていることが好ましい。
【００２５】
本適用例によれば、他方のバンド本体の剣先の跳ね上がりなどが起こらないため、装着使用時の他方のバンド本体の剣先（先端部）の捩じれや曲がりなどによる違和感を少なくすることができる。
【図面の簡単な説明】
【００２６】
【図１】携帯型電子機器バンドを用いた携帯型電子機器としてのリスト機器の構成例を示す上面（表面）斜視図。
【図２】リスト機器の下面（裏面）斜視図。
【図３】リスト機器の機器本体の概略構成を示す図１のＹ軸に沿った断面図。
【図４】リスト機器に備えられた第１実施形態に係る美錠の構成例を示す斜視図。
【図５】第１実施形態に係る美錠の構成例を示す図４のＱ視正面図。
【図６】連結部の構成例を示す断面図。
【図７】第２実施形態に係る美錠の構成例を示す斜視図。
【図８】第２実施形態に係る美錠の構成例を示す図７のＳ視正面図。
【図９Ａ】バンドの取り付け方法の手順１を示す斜視図。
【図９Ｂ】バンドの取り付け方法の手順２を示す斜視図。
【図９Ｃ】バンドの取り付け方法の手順３を示す斜視図。
【図９Ｄ】バンドの取り付け方法の手順４を示す斜視図。
【図１０】変形例に係る美錠の構成例を示す斜視図。
【図１１】変形例に係る美錠の構成例を示す図１０のＵ視正面図。
【図１２Ａ】美錠の構成に係る応用例１を示す平面図。
【図１２Ｂ】美錠の構成に係る応用例２を示す平面図。
【図１２Ｃ】美錠の構成に係る応用例３を示す平面図。
【図１２Ｄ】美錠の構成に係る応用例４を示す平面図。
【発明を実施するための形態】
【００２７】
以下、本発明に係る実施形態について説明する。なお、以下で説明する実施形態は、特許請求の範囲に記載された本発明の内容を不当に限定するものではない。また、本実施形態で説明される構成の全てが、本発明の必須構成要件であるとは限らない。
【００２８】
また、本明細書では、本発明による携帯型電子機器としてリスト機器を例示して説明する。以下の形態では、説明の便宜上、リスト機器の風防板側を表（表側）、風防板とは反対側（装着時にユーザーに接する側）を裏（裏側）として説明することがある。なお、以下の形態に係るリスト機器は、ランナーズウォッチ、デュアスロンやトライアスロン等マルチスポーツ対応のランナーズウォッチ、および衛星測位システム、例えばＧＰＳを搭載したＧＰＳウォッチ、等のリスタブル機器に広く適用できる。
【００２９】
（携帯型電子機器としてのリスト機器の構成）
先ず、図１、図２、および図３を参照して、本発明による携帯型電子機器の実施形態に係るリスト機器の概要について説明する。図１は、携帯型電子機器バンドを用いた携帯型電子機器としてのリスト機器の構成例を示す上面（表面）斜視図である。図２は、リスト機器の下面（裏面）斜視図である。図３は、リスト機器の機器本体の概略構成を示す図１のＹ軸に沿った断面図である。なお、図１、図２、および図３では、説明の便宜上、それぞれ直交する３軸をＸ軸、Ｙ軸、Ｚ軸を使用して説明し、後述する風防板７１（図３参照）の面に垂直な軸をＺ軸、ケースを挟むように配置されている一対のバンド部（図１に示す第１のバンド部２１および第２のバンド部２２）が並ぶ方向をＹ軸としている。また、以下において「軸方向」とは、「軸に沿う方向」を意味する。
【００３０】
図１および図２に示すように、携帯型電子機器（ウェアラブル型電子機器）の一例としてのリスト機器１は、ユーザー（装着者）の身体の所与の部位（例えば、手首）に装着され、ユーザーの位置情報や運動情報などを検出することができる。なお、リスト機器１には、ユーザーの位置情報や運動情報に加えて、例えば脈波情報などの生体情報を検出する機能や時刻情報などを取得する機能を設けることができる。
【００３１】
リスト機器１は、ユーザーに装着されて位置情報や運動情報などを検出する機器本体１０と、機器本体１０を挟んで両側に取り付けられ、機器本体１０をユーザーに装着するための一対のバンド部（携帯型電子機器バンド）としての第１のバンド部２１、および第２のバンド部２２と、を有する。
【００３２】
より詳細に説明すると、リスト機器１は、第１のバンド部２１と、第２のバンド部２２と、ボトムケース（蓋部）３３およびトップケース３０を含むケース部と、第１のバンド部２１の一方端側に接続されている美錠（尾錠）５０と、表示部７０と、複数の操作部（操作ボタン）８０と、を含む。但し、リスト機器１は、図１および図２の構成に限定されず、これらの一部の構成要素を省略したり、他の構成要素を追加したりするなどの種々の変形実施が可能である。なお、第１のバンド部２１、および第２のバンド部２２によって、携帯型電子機器バンドとしての一対のバンド部が構成される。
【００３３】
機器本体１０は、ユーザーへの装着側にボトムケース３３が配置され、ユーザーへの装着側と反対側には、表側に開口するトップケース３０が配置されている。そして、ボトムケース３３とトップケース３０とを含むケース部のＹ方向に沿った両側には、それぞれ第１のバンド部２１、および第２のバンド部２２が接続されている。
【００３４】
ケース部を構成するボトムケース３３およびトップケース３０は、例えばステンレススチールなどの金属、もしくは樹脂などによって形成することができる。なお、ケース部の構成は、トップケース３０とボトムケース３３とに分離される態様のものでなくてもよく、一体構造のケース（トップケース３０に相当する）と、該ケースのユーザーへの装着側に、裏蓋（ボトムケース３３に相当する）が設けられている構成でもよい。
【００３５】
また、機器本体１０は、液晶ディスプレイ（ＬＣＤ）などで構成される表示部７０の表示をユーザーが視認することの可能な構成としてもよい。つまり本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部２１および第２のバンド部２２との接続部である一対のバンド装着部（不図示）が設けられている。
【００３６】
機器本体１０をさらに詳細に説明する。機器本体１０には、図３に示すように、機器本体１０の表側（トップケース３０）に位置する開口の外周側に、ベゼル７５が設けられるとともに、このベゼル７５の内側にベゼル７５と並んで配置されて内部構造を保護する天板部分（外壁）としての透明な基板である風防板（本例ではガラス板）７１が設けられている。風防板７１は、図中Ｚ軸方向から見た平面視で、トップケース３０の開口を塞ぐように配置されている。機器本体１０には、ケースを構成するトップケース３０およびボトムケース３３と、トップケース３０の開口を塞ぐ風防板７１と、に囲まれたケースの内側の密閉空間である内部空間３６が設けられている。
【００３７】
そして、この内部空間３６に、リスト機器１を構成する要素部品である、例えば回路基板４５、センサーの一例としての地磁気センサー５５、二次電池６０、表示部７０、見切り板８８、ＧＰＳ（Global Positioning System）アンテナ９０、および振動部９５などが収納されている。ただし、機器本体１０は、図３に示す構成に限定されず、例えば生体情報を検出する光センサー、および標高などを算出するための気圧センサーなどの他のセンサーや電子部品などを追加してもよい。また、回路基板４５には、リスト機器１を構成する要素部品や表示部７０などを制御する制御回路および駆動回路などが接続されている。
【００３８】
なお、機器本体１０の天板部分の風防板７１は、ガラス板に限らず、表示部７０を閲覧可能な透明部材であり、表示部７０を構成する液晶ディスプレイ（ＬＣＤ）などのトップケース３０とボトムケース３３との内部（内部空間）に収容される構成を保護可能な程度の強度を有する部材であれば、透明のプラスチックなど、ガラス以外の材料とすることができる。
【００３９】
第１のバンド部２１は、図１および図２に示すように、ボトムケース３３のバンド装着部に他方端側で接続された一方のバンド本体３１と、一方のバンド本体３１の一方端側にある取付部３４と、後述するつく棒３７と、連結部３８と、美錠５０と、を含む。取付部３４には、美錠５０が取り付けられている。美錠５０は、一方のバンド本体３１と美錠５０の並ぶ方向と交差する方向である幅方向に沿った回転軸棒５３（図４参照）を中心に回転可能に取り付けられている。
【００４０】
第２のバンド部２２は、図１および図２に示すように、ボトムケース３３のバンド装着部に他方端側で接続された他方のバンド本体３２を有している。他方のバンド本体３２は、ボトムケース３３に接続された他方端側と反対側の一方端側に位置する剣先３５と、他方のバンド本体３２に複数配列された孔３９と、を含む。剣先３５は、リスト機器１を被装着部に取り付ける際に、他方のバンド本体３２を美錠５０に挿入し易くするための先細り形状を成している。
【００４１】
複数の孔３９は、一方のバンド本体３１と美錠５０の並ぶ方向に沿って配置されている。本形態の孔３９は、他方のバンド本体３２の表裏面を貫通する貫通孔によって構成されている。このような孔３９では、後述するつく棒３７が所定の孔３９に挿入されることによって、一方のバンド本体３１と他方のバンド本体３２との適切な係止位置を容易に決めることができ、リスト機器１の被装着部への装着を適度な締め付け具合によって行うことができる。
【００４２】
なお、一方のバンド本体３１および他方のバンド本体３２は、例えばウレタン樹脂、シリコーン樹脂、エラストマー樹脂、フッ素樹脂、ポリスチレン樹脂、ポリエチレン樹脂などの材料によって形成されることが好ましい。
【００４３】
（第１実施形態に係る美錠）
ここで、図４および図５を参照して、第１実施形態に係る美錠５０について説明する。図４は、リスト機器に備えられた第１実施形態に係る美錠の構成例を示す斜視図である。図５は、第１実施形態に係る美錠の構成例を示す図４のＱ視正面図である。
【００４４】
美錠５０は、図４、および図５に示すように、一対の側部５２ａ，５２ｂと他端部５１とを有し、一対の側部５２ａ，５２ｂの一端側６１ａ、６１ｂが開口した枠状を成している。他端部５１は、該開口側である側部５２ａ，５２ｂの一端側６１ａ，６１ｂとは反対側に位置し、側部５２ａ，５２ｂとを繋いでいる。美錠５０は、一端側６１ａ，６１ｂを一方のバンド本体３１に向けて配置される。そして、美錠５０は、一方のバンド本体３１の一方端側にある取付部３４を対向する一端側６１ａと一端側６１ｂとによって挟み、一方のバンド本体３１に取り付けられている。美錠５０は、一方のバンド本体３１と美錠５０の並ぶ方向と交差する方向である幅方向に沿って、取付部３４の中心部に挿通された回転軸棒５３によって、一方のバンド本体３１に取り付けられており、回転軸棒５３を中心軸として矢印Ｒ１の方向に回転可能である。
【００４５】
美錠５０には、取付部３４、および他端部５１のそれぞれと間隙が設けられるように、美錠５０の内側を横断する、即ち一対の側部５２ａ，５２ｂの内側を繋ぐように配置された軸状の連結部３８が設けられている。連結部３８が設けられていることによって、美錠５０は、他端部５１側の第１開口領域と、該第１開口領域と連結部３８に対して反対側（取付部３４側）の第２開口領域とを有する。そして、連結部３８には、つく棒３７が、回転可能に取り付けられている。
【００４６】
本形態に係る連結部３８の構成について、図６に示す構成例を参照して説明する。図６は、連結部３８の構成例を示し、連結部３８の軸心方向に沿った断面図である。連結部３８は、図６に示すように、棒状の軸３８ａの軸心方向の中央部に配置された中央段部３８ｂと、両側の端部にそれぞれ配置された端段部３８ｃとを備えている。中央段部３８ｂには、つく棒３７が、取り付けられている。つく棒３７は、軸３８ａと中央段部３８ｂとの段差により、軸心方向の移動を規制される。一方の端段部３８ｃは、側部５２ａに接続され、他方の端段部３８ｃは、側部５２ｂに接続されている。
【００４７】
つく棒３７は、図４および図５に示すように、一方端部が連結部３８に回転可能に取り付けられ、一方端部の反対側に位置する他方端部に向かって、一方のバンド本体３１と美錠５０の並ぶ方向に沿って延在している棒状の部材である。なお、つく棒３７は、曲がり形状や湾曲形状を有していてもよい。つく棒３７は、他方端部が他方のバンド本体３２の孔３９に挿入されることによって、他方のバンド本体３２と一方のバンド本体３１とを連結し、他方のバンド本体３２と一方のバンド本体３１との装着のための長さを規定することができる。そして、つく棒３７が、他方のバンド本体３２の孔３９に挿入されることによって、リスト機器１を被装着部Ｗに装着することができる。
【００４８】
ここで、上述した実施形態１に係る美錠５０を用いて他方のバンド本体３２と一方のバンド本体３１とを連結する場合、即ちリスト機器１を被装着部Ｗに装着する場合の取り付け方法について、図５に沿って簡潔に説明する。
【００４９】
（取り付け方法）
本形態に係るリスト機器１（機器本体１０）を被装着部Ｗに取り付ける方法は、図５に示すように、他方のバンド本体３２の剣先３５を被装着部Ｗ側から美錠５０の他端部５１と連結部３８との間（第１開口領域）に挿入し、機器本体１０の取り付け（締め付け）具合を確認しながら他方のバンド本体３２に設けられている所望の孔３９につく棒３７を挿入する。そして、剣先３５を取付部３４と連結部３８との間（第２開口領域）から被装着部Ｗ側に向けて挿入し、剣先３５を一方のバンド本体３１と被装着部Ｗとの間に位置させる。これらによって、機器本体１０を被装着部Ｗに取り付けることができる。
【００５０】
上述したような携帯型電子機器バンドとしての第１のバンド部２１、および第２のバンド部２２を用い、リスト機器１（機器本体１０）を被装着部Ｗに取り付ける取り付け方法を用いることにより、以下のような効果を奏することができる。
【００５１】
第１のバンド部２１、および第２のバンド部２２を用い、リスト機器１（機器本体１０）を被装着部Ｗに取り付ける取り付け方法では、つく棒３７と美錠５０とによって取り付けられる他方のバンド本体３２の剣先３５を含む先端部分が、取付部３４と連結部３８との間隙に挿入され、一方のバンド本体３１と被装着部Ｗとの間に収容される。これにより、従来用いられていた遊革などの移動部位が不要となるため、移動部位と取付部位である皮膚などとの擦れや巻き込みなどによって生じるユーザーの違和感を減少させることができる。
【００５２】
なお、一方のバンド本体３１の被装着部Ｗ側に挿入された他方のバンド本体３２の剣先３５は、被装着部Ｗと、一方のバンド本体３１との間で一方のバンド本体３１と重なっていることが好ましい。このように剣先３５が一方のバンド本体３１と重なって配置されることにより、剣先３５を含む他方のバンド本体３２の跳ね上がりなどが起こらないため、装着時の他方のバンド本体３２の剣先３５（先端部）の捩じれや曲がりなどによる違和感を少なくすることができる。また、剣先３５が一方のバンド本体３１から視認できないため、見映えを向上させることができる。
【００５３】
（第２実施形態に係る美錠）
次に、図７、および図８を参照して、リスト機器に適用される一対のバンド部を構成する美錠の第２実施形態について説明する。図７は、第２実施形態に係る美錠の構成例を示す斜視図である。図８は、第２実施形態に係る美錠の構成例を示す図７のＳ視正面図である。なお、リスト機器の構成は、前述した実施形態のリスト機器１と同様であるので、以下の説明では、同じ構成部位については同符号を付し、その説明を省略する。
【００５４】
第２実施形態に係る美錠５０ａは、第１実施形態に係る美錠５０の一対の側部５２ａ，５２ｂの構成が異なっている。第２実施形態に係る美錠５０ａは、図７、および図８に示すように、一端側６２ａ，６２ｂが一方のバンド本体３１の取付部３４に回転可能に取り付けられている第１側部５７ａ，５７ｂと、第１側部５７ａ，５７ｂの他端側５６ａ，５６ｂに連結部３８を介して回転可能に取り付けられている、第２側部５４ａ，５４ｂを含む美錠枠５８とを含む。換言すれば、第２実施形態に係る美錠５０ａは、前述の第１実施形態に係る美錠５０の一対の側部５２ａ，５２ｂが、それぞれ連結部３８を介して第１側部５７ａ，５７ｂと、第２側部５４ａ，５４ｂを含む美錠枠５８と、の二つの別動可能な側部に分割された構成である。
【００５５】
一対の第１側部５７ａ，５７ｂは、一端側６２ａ，６２ｂと、一端側６２ａ，６２ｂから延設された本体部５５ａ，５５ｂと、本体部５５ａ，５５ｂが内側に折り曲げられた他端側５６ａ，５６ｂとを含む。
【００５６】
美錠枠５８は、第１側部５７ａ，５７ｂの他端側５６ａ，５６ｂに連結部３８を介して回転可能に取り付けられている第２側部５４ａ，５４ｂと、連結部３８と反対側で第２側部５４ａと第２側部５４ｂとの間を繋ぐ他端部５１ａと、を含む。美錠枠５８は、第２側部５４ａ，５４ｂ、および他端部５１ａによって、連結部３８側に開口する枠状を成している。
【００５７】
一対の第１側部５７ａ，５７ｂは、一端側６２ａ，６２ｂを一方のバンド本体３１に向けて配置される。第１側部５７ａ，５７ｂは、一方のバンド本体３１の一方端側にある取付部３４を、対向する一端側６２ａと一端側６２ｂとによって挟む位置で、一方のバンド本体３１に取り付けられている。一対の第１側部５７ａ，５７ｂは、一方のバンド本体３１と美錠５０ａの並ぶ方向と交差する方向である幅方向に沿って、取付部３４の中心部に挿通された回転軸棒５３によって、一方のバンド本体３１に取り付けられており、回転軸棒５３を中心軸として矢印Ｒ２の方向に回転することができる。
【００５８】
美錠枠５８は、第１側部５７ａ，５７ｂの内側に折り曲げられた他端側５６ａ，５６ｂを、第２側部５４ａと，第２側部５４ｂとによって挟み、連結部３８を介して第１側部５７ａ，５７ｂに取り付けられている。美錠枠５８は、連結部３８を中心軸として矢印Ｒ３の方向に回転することができる。
【００５９】
美錠５０ａには、第１側部５７ａ，５７ｂと第２側部５４ａ，５４ｂとを連結し、美錠５０ａの内側を横断する軸状の連結部３８によって、取付部３４および他端部５１ａのそれぞれと間隙（第１開口領域および第２開口領域）が設けられている。この連結部３８によって、美錠５０ａは、他端部５１ａ側（美錠枠５８側）の第１開口領域と、第１開口領域と連結部３８に対して反対側（第１側部５７ａ，５７ｂ側）の第２開口領域とを有することになる。そして、連結部３８には、第１実施形態と同様に、つく棒３７が、回転可能に取り付けられている。
【００６０】
（取り付け方法）
ここで、上述した実施形態２に係る美錠５０ａを用いて他方のバンド本体３２と一方のバンド本体３１とを連結する場合、即ちリスト機器１（図１参照）を被装着部Ｗに装着する場合の取り付け方法について、図８および図９Ａないし図９Ｄに沿って簡潔に説明する。図９Ａないし図９Ｄは、実施形態２に係る美錠５０ａを用いたバンドの取り付け方法の手順を示す斜視図であり、図９Ａは手順１、図９Ｂは手順２、図９Ｃは手順３、図９Ｄは手順４をそれぞれ示している。
【００６１】
本形態に係る美錠５０ａを用いた取り付け方法は、図８に示すように、他方のバンド本体３２の剣先３５を、被装着部Ｗ側から美錠枠５８側の第１開口領域に被装着部Ｗの反対側（上方）に向かって挿入し、つく棒３７によって係止した後、連結部３８を介して反対方向に、即ち第２開口領域から剣先３５を上方から被装着部Ｗ側に向かって挿入する。
【００６２】
さらに、図９Ａないし図９Ｄを参照して詳細に説明する。先ず、図９Ａに示すように、他方のバンド本体３２の剣先３５を被装着部Ｗ側から美錠枠５８側の第１開口領域から反対側（上方）に向かう矢印Ｐ１の方向に挿入する。
【００６３】
そして、図９Ｂに示すように、第１開口領域から挿入された他方のバンド本体３２を、機器本体１０の取り付け（締め付け）具合を確認しながら矢印Ｐ２の方向に引っ張り、好適な締め付けとなる孔３９につく棒３７を挿入して固定する。
【００６４】
次に、図９Ｃに示すように、被装着部Ｗと一方のバンド本体３１（取付部３４）との間に隙間を設けるように、第１側部５７ａ，５７ｂ連結部３８および回転軸棒５３を中心軸として回転移動する。そして、被装着部Ｗと一方のバンド本体３１（取付部３４）との間にできた隙間に向かって、他方のバンド本体３２の剣先３５を、連結部３８を介して第２開口領域に剣先３５を被装着部Ｗ側に向かって（矢印Ｐ３の方向）挿入する。
【００６５】
そして、図９Ｄに示すように、剣先３５を被装着部Ｗと一方のバンド本体３１との間に滑り込ませる。このようにして、剣先３５を含む他方のバンド本体３２の端部分を被装着部Ｗと一方のバンド本体３１との間に位置させて、リスト機器１の被装着部Ｗへの装着（取り付け）が終了する。
【００６６】
上述したような実施形態２に係る美錠５０ａを適用した携帯型電子機器バンドとしての第１のバンド部２１、および第２のバンド部２２を用い、リスト機器１（機器本体１０）を被装着部Ｗに取り付ける取り付け方法を用いることにより、以下のような効果を奏することができる。
【００６７】
上述した第２実施形態に係る美錠５０ａでは、第１実施形態の美錠５０の効果に加え、第１側部５７ａ，５７ｂと第２側部５４ａ，５４ｂとがそれぞれ回転可能であり、自在に回転移動することができるため、他方のバンド本体３２の剣先３５を一方のバンド本体３１と被装着部Ｗとの間に挿入する際に、一方のバンド本体３１と被装着部Ｗとの間の隙間を大きくすることができ、挿入を行い易くすることができる。
【００６８】
なお、図８に示すように、第１側部５７ａ，５７ｂは、一方のバンド本体３１の被装着部Ｗ側となる裏面側に、裏面側に対して凹状となるように湾曲した湾曲部５７ｒを有していることが好ましい。このような湾曲部５７ｒを設けることにより、第１側部５７ａ，５７ｂが被装着部Ｗに接触する際に生じることのあるユーザーの装着違和感を軽減することができる。
【００６９】
（変形例に係る美錠）
次に、図１０、および図１１を参照して、美錠の変形例について説明する。図１０は、変形例に係る美錠の構成例を示す斜視図である。図１１は、変形例に係る美錠の構成例を示す図１０のＵ視正面図である。なお、リスト機器の構成は、前述した実施形態のリスト機器１と同様であるので、以下の説明では、同じ構成部位については同符号を付し、その説明を省略する。
【００７０】
変形例に係る美錠５０ｂには、図１０および図１１に示すように、第１側部５７ａ，５７ｂと取付部３４と連結部３８とにより構成される第２開口領域に、他方のバンド本体３２を挿入し易くするための案内板（ガイド）としての導きの機能を有する挿入ガイド部５９が設けられている。連結部３８の軸心方向の中央部に配置された中央段部３８ｂには、つく棒３７の接続部３７ｒが挿入されて取り付けられている。その他の構成は、前述した第２実施形態に係る美錠５０ａと同様である。
【００７１】
挿入ガイド部５９は、取付部３４と連結部３８との間に位置し、取付部３４および連結部３８と、それぞれ間隙を有して第１側部５７ａと第１側部５７ｂとの間に亘って設けられている。挿入ガイド部５９は、棒部材で構成されてもよいし、板状部材で構成されてもよい。本変形例では、板状部材を用いた構成を例示している。なお、挿入ガイド部５９の連結部３８側の端部は、後述にて説明する他方のバンド本体３２の挿入を行い易くするために、例えば面取り形状やアール形状（Ｒ形状）などの角部を有さない構成とすることが好ましい。
【００７２】
なお、本変形例のような板状部材を用いた挿入ガイド部５９では、連結部３８と美錠５０の他端部５１とが並ぶ方向に対して、連結部３８側から他端部５１側に向うにつれて傾斜していることが好ましい。詳細には、美錠枠５８側（連結部３８側）から一方のバンド本体３１側（取付部３４側）に向かうに連れて、他方のバンド本体３２を挿入する挿入側の一方の面側から該一方の面とは反対側の他方の面（被装着部Ｗ側の面）側に向かって傾斜していることが好ましい。なお、他方のバンド本体３２を挿入する挿入側の一方の面側とは、一方のバンド本体３１の被装着部Ｗ側の面３１ｒに対して反対側の面３１ｆの側（上方側）である。
【００７３】
このように挿入ガイド部５９が傾斜していることにより、他方のバンド本体３２の剣先３５を第２開口領域に挿入口側の一方の面側（上方側）から挿入する際に、剣先３５をその挿入方向である一方のバンド本体３１と被装着部Ｗとの間に向け易くする、および挿入方向に向けて他方のバンド本体３２を挿入ガイド部５９に倣って滑らせ易くすることができ、剣先３５（他方のバンド本体３２）の挿入を容易に行うことができる。
【００７４】
（取り付け方法）
ここで、上述した変形例に係る美錠５０ｂを用いて他方のバンド本体３２と一方のバンド本体３１とを連結する場合、即ちリスト機器１を被装着部Ｗに装着する場合の取り付け方法について、図１１を参照して説明する。
【００７５】
変形例に係る美錠５０ｂを用いた取り付け方法は、図１１に示すように、他方のバンド本体３２の剣先３５を被装着部Ｗ側から美錠枠５８側の第１開口領域から被装着部Ｗの反対側（上方）に向かって挿入し、つく棒３７によって係止した後、連結部３８、および挿入ガイド部５９を介して第２開口領域から剣先３５を上方から被装着部Ｗ側に向かって挿入する。
【００７６】
具体的には、他方のバンド本体３２の剣先３５を被装着部Ｗ側から美錠枠５８側の第１開口領域から反対側（上方）に向かって挿入する。そして、第１開口領域から挿入された他方のバンド本体３２を、機器本体１０の取り付け（締め付け）具合を確認しながら、複数の孔３９の内の好適な締め付けとなる孔３９ｆにつく棒３７を挿入して固定する。次に、被装着部Ｗと一方のバンド本体３１（取付部３４）との間に隙間を設けるように、第１側部５７ａ，５７ｂを連結部３８および回転軸棒５３を中心軸として回転移動させ、第２開口領域からその隙間に向かって、他方のバンド本体３２の剣先３５を、挿入ガイド部５９を案内ガイドにしてスライドさせながら被装着部Ｗ側に向かって挿入する。そして、剣先３５を被装着部Ｗと一方のバンド本体３１との間に滑り込ませる。このようにして、剣先３５を含む他方のバンド本体３２の端部分を被装着部Ｗと一方のバンド本体３１との間に位置させて、リスト機器１の被装着部Ｗへの装着（取り付け）が終了する。
【００７７】
上述した変形例に係る美錠５０ｂによれば、取付部３４と連結部３８との間の第２開口領域に設けられた挿入ガイド部５９をガイドにして、他方のバンド本体３２をスライドさせながら剣先３５を一方のバンド本体３１と被装着部Ｗとの間に挿入することにより、他方のバンド本体３２の先端部分を容易に収容することができる。
【００７８】
（美錠の応用例）
上述した美錠５０，５０ａ，５０ｂは、他の構成によっても実現することができる。以下、他の構成例として、図１２Ａないし図１２Ｄを参照して、美錠の応用例について説明する。図１２Ａないし図１２Ｄは、美錠の構成に係る応用例を示す平面図であり、図１２Ａは応用例１、図１２Ｂは応用例２、図１２Ｃは応用例３、図１２Ｄは応用例４をそれぞれ示している。なお、前述した第２実施形態の美錠５０ａと同様な構成については、同符号を付したり、その説明を省略したりすることがある。
【００７９】
（応用例１）
図１２Ａを参照して応用例１に係る美錠５０１について説明する。美錠５０１は、第２実施形態と同様に、一端側が取付部３４に回転可能に取り付けられている第１側部５７ａ，５７ｂと、第１側部５７ａ，５７ｂの他端側に連結部３８を介して回転可能に取り付けられている美錠枠５８ａとを含む。
【００８０】
一対の第１側部５７ａ，５７ｂは、一端側を取付部３４に向け、他端側を美錠枠５８ａを構成する一対の第２側部５４ａ，５４ｂの外側に位置して配置されている。美錠枠５８ａは、第１側部５７ａ，５７ｂの他端側に連結部３８を介して回転可能に取り付けられている第２側部５４ａ，５４ｂを含む枠状を成している。美錠５０１には、第１側部５７ａ，５７ｂと第２側部５４ａ，５４ｂとを連結し、美錠５０１の内側を横断する軸状の連結部３８によって、美錠枠５８ａ側に第１開口領域が設けられ、取付部３４側に第２開口領域が設けられる。そして、連結部３８には、第２実施形態と同様に、つく棒３７が、回転可能に取り付けられている。
【００８１】
（応用例２）
図１２Ｂを参照して応用例２に係る美錠５０２について説明する。美錠５０２は、第２実施形態と同様に、一端側が取付部３４に回転可能に取り付けられている第１側部５７ａ２，５７ｂ２と、第１側部５７ａ２，５７ｂ２の他端側に連結部３８を介して回転可能に取り付けられている美錠枠５８ｂとを含む。
【００８２】
一対の第１側部５７ａ２，５７ｂ２は、一端側を取付部３４に向け、他端側を美錠枠５８ｂを構成する一対の第２側部５４ａ２，５４ｂ２の外側に位置して配置されている。第１側部５７ａ２，５７ｂ２の他端側には、内側に凹む段差である段部６５ａ，６５ｂが設けられている。美錠枠５８ｂは、第１側部５７ａ２，５７ｂ２の他端側の段部６５ａ，６５ｂに連結部３８を介して回転可能に取り付けられている第２側部５４ａ２，５４ｂ２を含む枠状を成している。美錠５０２には、第１側部５７ａ２，５７ｂ２と第２側部５４ａ２，５４ｂ２とを連結し、美錠５０２の内側を横断する軸状の連結部３８によって、美錠枠５８ｂ側に第１開口領域が設けられ、取付部３４側に第２開口領域が設けられる。そして、連結部３８には、第２実施形態と同様に、つく棒３７が、回転可能に取り付けられている。
【００８３】
（応用例３）
図１２Ｃを参照して応用例３に係る美錠５０３について説明する。美錠５０３は、第２実施形態と同様に、一端側が取付部３４に回転可能に取り付けられている第１側部５７ａ３，５７ｂ３と、第１側部５７ａ３，５７ｂ３の他端側に連結部３８を介して回転可能に取り付けられている美錠枠５８ｃとを含む。
【００８４】
一対の第１側部５７ａ３，５７ｂ３は、一端側を取付部３４に向け、他端側を美錠枠５８ｃを構成する一対の第２側部５４ａ３，５４ｂ３に対向する位置に配置されている。第１側部５７ａ３，５７ｂ３の他端側には、第２側部５４ａ３，５４ｂ３に対向した位置の端面の中央部が凹む凹部６６ａ，６６ｂが設けられている。美錠枠５８ｃは、第２側部５４ａ３，５４ｂ３を含む枠状を成している。美錠枠５８ｃは、第１側部５７ａ３，５７ｂ３の他端側の凹部６６ａ，６６ｂに第２側部５４ａ３，５４ｂ３の端を挿入し、連結部３８を介して第１側部５７ａ３，５７ｂ３に対して回転可能に取り付けられている美錠５０３には、第１側部５７ａ３，５７ｂ３と第２側部５４ａ３，５４ｂ３とを連結し、美錠５０３の内側を横断する軸状の連結部３８によって、美錠枠５８ｃ側に第１開口領域が設けられ、取付部３４側に第２開口領域が設けられる。そして、連結部３８には、第２実施形態と同様に、つく棒３７が、回転可能に取り付けられている。
【００８５】
（応用例４）
図１２Ｄを参照して応用例４に係る美錠５０４について説明する。美錠５０４は、第２実施形態と同様に、一端側が取付部３４に回転可能に取り付けられている第１側部５７ａ４，５７ｂ４と、第１側部５７ａ４，５７ｂ４の他端側に連結部３８を介して回転可能に取り付けられている美錠枠５８ｄとを含む。
【００８６】
一対の第１側部５７ａ４，５７ｂ４は、一端側を取付部３４に向け、他端側を美錠枠５８ｄを構成する一対の第２側部５４ａ４，５４ｂ４の外側に位置して配置されている。美錠枠５８ｄは、第１側部５７ａ４，５７ｂ４の他端側に連結部３８を介して回転可能に取り付けられている第２側部５４ａ４，５４ｂ４を含む枠状を成している。第２側部５４ａ４，５４ｂ４の端部（美錠枠５８ｄの開口側の端部）には、外側が凹む段差である段部６７ａ，６７ｂが設けられている。第１側部５７ａ４，５７ｂ４は、他端側を段部６７ａ，６７ｂの位置に対向させて、連結部３８を介して第２側部５４ａ４，５４ｂ４と接続されている。美錠５０４には、第１側部５７ａ４，５７ｂ４と第２側部５４ａ４，５４ｂ４とを連結し、美錠５０４の内側を横断する軸状の連結部３８によって、美錠枠５８ｄ側に第１開口領域が設けられ、取付部３４側に第２開口領域が設けられる。そして、連結部３８には、第２実施形態と同様に、つく棒３７が、回転可能に取り付けられている。
【００８７】
上述した応用例１〜応用例４に係る美錠５０１，５０２，５０３，５０４を用いたリスト機器１においても、前述した美錠５０，５０ａ，５０ｂと同様な機能、および効果を奏することができる。
【符号の説明】
【００８８】
１…携帯型電子機器としてのリスト機器、１０…機器本体、２１…第１のバンド部、２２…第２のバンド部、３０…トップケース、３１…一方のバンド本体、３２…他方のバンド本体、３３…ケースとしてのボトムケース、３４…取付部、３５…剣先、３６…内部空間、３７…つく棒、３８…連結部、３９…孔、５０…美錠、７０…表示部、８０…操作部（操作ボタン）。
【図１】
2018068547.tif 000003
【図２】
2018068547.tif 000004
【図３】
2018068547.tif 000005
【図４】
2018068547.tif 000006
【図５】
2018068547.tif 000007
【図６】
2018068547.tif 000008
【図７】
2018068547.tif 000009
【図８】
2018068547.tif 000010
【図９Ａ】
2018068547.tif 000011
【図９Ｂ】
2018068547.tif 000012
【図９Ｃ】
2018068547.tif 000013
【図９Ｄ】
2018068547.tif 000014
【図１０】
2018068547.tif 000015
【図１１】
2018068547.tif 000016
【図１２Ａ】
2018068547.tif 000017
【図１２Ｂ】
2018068547.tif 000018
【図１２Ｃ】
2018068547.tif 000019
【図１２Ｄ】
2018068547.tif 000020